(57)【要約】【課題】運搬台に土や、肥料、籾殻、収穫物等の排出物を搭載し、必要に応じて、係止機構を解除作動して運搬台を後方傾動させて各種の運搬排出作業を行うことができ、この際、上記運搬台の内底面に上記排出物の滑落を助長する滑性部材を配設してなるから、排出物の落下が円滑になされ、排出の作業性を高めることができる。【解決手段】走行機体１に連結機構２により取付枠３を上下動自在に連結し、取付枠に運搬台１２を傾動自在に設け、取付枠と運搬台との間に解除可能な係止機構２１を設けてなり、運搬台の少なくとも内底面１２ｃに粉粒状物Ｗの滑落を助長する滑性部材２９を配設してなる。【選択図】図１
2007097550.tif 000002
【特許請求の範囲】
【請求項１】
走行機体に連結機構により取付枠を上下動自在に連結し、該取付枠に運搬台を傾動自在に設け、該取付枠と運搬台との間に解除可能な係止機構を設けてなり、上記運搬台の少なくとも内底面に上記粉粒状物の滑落を助長する滑性部材を配設してなることを特徴とする圃場作業機。
【請求項２】
上記滑性部材を上記運搬台の内側面に配置してなることを特徴とする請求項１記載の圃場作業機。
【請求項３】
上記滑性部材は表面が活性に富む合成樹脂からなる特徴とする請求項１又は２記載の圃場作業機。
【発明の詳細な説明】
【技術分野】
【０００１】
本発明は本発明は例えば圃場面の整地作業や堆肥、粉粒状肥料の散布作業、収穫物、農作業機具等の運搬作業、圃場面に散在する藁の収集作業等に用いられる圃場作業機に関するものである。
【背景技術】
【０００２】
従来この種の圃場作業機として特公昭５９−３６０７号公報、実公昭６１−４５２４５号公報、実公昭５６−５５３２７号公報、特公昭６３−２０９６９号公報等のものが知られている。
【０００３】
この従来構造のものは、走行機体に取付枠を連結し、該取付枠に運搬台からなる運搬台を後方傾動自在に設け、該取付枠と該運搬台との間に解除可能な係止機構を設け、取付枠にすき体を前下がり状に取り付けて構成されている。
【０００４】
しかして、例えば運搬台に籾殻や肥料を収納し、運搬台の底面から肥料を落下散布したり、収穫物や農作業機具を搭載して運搬作業を行ったり、又、すき体を前下り状に保持して走行機体を前進走行し、圃場面の高い所の土をすき体により削り取り、削り取られた土をすき体により運搬台内に導入案内し、走行機体を圃場の低い所に移動し、その位置で作業者が人為的に係止機構を解除し、運搬台を自重で後方傾動させ、運搬台内の土を圃場面の低い所に排出し、これにより圃場の整地作業を行うようにしている。
【特許文献１】特公昭５９−３６０７号公報
【発明の開示】
【発明が解決しようとする課題】
【０００５】
しかしながらこれら従来構造の場合、上記運搬台内の土や肥料を運搬台の底面を滑落排出するとき、運搬台の底面の滑性が鈍化していることにより底面における排出物の落送が不円滑となることがあり、土や肥料等の排出物の排出作業性が低下することがあるという不都合を有している。
【課題を解決するための手段】
【０００６】
本発明はこれらの不都合を解決することを目的とするもので、本発明のうちで、請求項１記載の発明は、走行機体に連結機構により取付枠を上下動自在に連結し、該取付枠に運搬台を傾動自在に設け、該取付枠と運搬台との間に解除可能な係止機構を設けてなり、上記運搬台の少なくとも内底面に上記粉粒状物の滑落を助長する滑性部材を配設してなることを特徴とする圃場作業機にある。
【０００７】
又、請求項２記載の発明は、上記滑性部材を上記運搬台の内側面に配置してなることを特徴とするものであり、又、請求項３記載の発明は、上記滑性部材は表面が活性に富む合成樹脂からなる特徴とするものである。
【発明の効果】
【０００８】
本発明は上述の如く、請求項１記載の発明にあっては、運搬台に土や、肥料、籾殻、収穫物等の排出物を搭載し、必要に応じて、係止機構を解除作動して運搬台を後方傾動させて各種の運搬排出作業を行うことができ、この際、上記運搬台の内底面に上記排出物の滑落を助長する滑性部材を配設してなるから、排出物の落下が円滑になされ、排出の作業性を高めることができる。
【０００９】
又、請求項２記載の発明にあっては、上記滑性部材を上記運搬台の内側面に配置することにより、排出物は滑性部材上を滑走し、排出物の落走が円滑になされ、排出の作業性を高めることができ、又、請求項３記載の発明にあっては、上記滑性部材は表面が滑性に富む合成樹脂からなるから、排出物の落送が一層円滑になされ、排出の作業性を高めることができる。
【発明を実施するための最良の形態】
【００１０】
図１乃至図８は本発明の実施の形態例を示し、図１乃至図６は第一形態例、図７は第二形態例、図８は第三形態例である。
【００１１】
図１乃至図６の第一形態例において、１は走行機体であって、この場合、トラクタが用いられ、この走行機体１の後部に連結機構２により取付枠３を連結している。
【００１２】
この連結機構２は、図４の如く、走行機体の左右両側部下部に突設した下部リンク４と、走行機体の左右両側部上部に突設した揺動アーム５と、揺動アーム５と下部リンク４の中程部を連結する吊上リンク６と、走行機体の上部に突設した上部リンク７とで構成されており、上記下部リンク４の先端部と上部リンク７の先端部を連結ピン８により取付枠３に連結し、取付枠３を油圧により揺動する揺動アーム５によって上下動可能に構成している。
【００１３】
９はすき体であって、この場合、図５の如く、取付枠３を側面視Ｌ状にして後面視四角枠状に形成し、取付枠３の左右の縦杆３ａ間に支持軸１０によりすき体９を前下がり状に取付け、すき体９の裏面にストッパー部９ａを形成し、取付枠３の水平杆３ｂの下面にストッパー体１１を設け、すき体９を前下がり状態に保持するととも図示省略の引上退避機構により支持軸１０を中心としてすき体９を引き上げ回動及びすき体９の降下接地により上方に退避遊回動可能に構成している。
【００１４】
１２は運搬台であって、この場合、図２、図３の如く、長方形状の底板１３の四辺部に左右側板１４、前板１５、後板１６を立設し、後部に掬い部１７を形成して形成され、左右側板１４は着脱自在に、後板１６は着脱及び上部のピン軸１６ａを支点として遊動自在に設けられ、前板１５のすき体９に対向する位置に土導入口部１８を形成し、運搬台１２内に土や肥料、籾殻等の排出物Ｗを積載可能に構成している。
【００１５】
また、運搬台１２の底板１３に補強杆１９を取付け、補強杆１９に水平杆３ｂの後部を支点軸２０により枢着し、運搬台１２を支点軸２０を中心として後方傾動可能に取付けている。
【００１６】
２１は係止機構であって、この場合、図４、図５の如く、運搬台１２の縦杆１２ａの上部間に横杆１２ｂを取付け、横杆１２ｂの上面中央位置に支持片２２を二個並列状態で取付け、支持片２２間にピン状の係止部２３を架設し、一方縦杆３ａ間に架設した横杆３ｃに支持片２４を並列状態に取付け、支持片２４間に支点ピン２５を架設し、支点ピン２５にレバー状の係止部材２６を揺動自在に枢着し、係止部材２６の基端部に横杆３ｃの上面に当接可能なストッパー部２６ａを形成すると共に係止部材２６の先端部に上記係止部２３に引掛係止可能な鉤状部２６ｂを形成し、係止部材２６と横杆３ｃとの間に係止部材２６の先端部を下方に弾引可能な係止用バネ２７を掛架し、係止部材２６に操作レバー２８を突設して構成している。
【００１７】
しかして、係止部材２６を支点ピン２５を中心として上向き揺動させることにより係止部材２６の鉤状部２６ｂが係止部２３より離脱し、これにより運搬台１２は支点軸２０を中心として自重後方傾動することになり、また、運搬台１２を傾動状態から起立させると係止部材２６の鉤状部２６ｂは係止部２３に当接して係止用バネ２７に抗して乗り上げ動作したのち乗り越え動作し、係止部２３は係止部材２６の鉤状部２６ｂに係止され、これにより運搬台１２の支点軸２０を中心とする自重後方傾動が阻止されることになる。
【００１８】
２９は滑性部材であって、図３、図５の如く、上記運搬台１２の内底面１２ｃに取り付けられ、この場合、滑性部材２９は上記排出物Ｗの滑落を助長可能な滑性に富む材質からなる板材からなり、ポロプロピレン樹脂やポリエチレン樹脂が用いられる。尚、滑性部材２９は樹脂材に限らず、金属製、非鉄金属製のものも用いられるものである。又、上記運搬台１２の内側面１２ｄや内面全面に設けることもある。
【００１９】
この実施の第一形態例は上記構成であるから、運搬台１２に収穫物や農作業機械を搭載し、必要に応じて、係止機構２１を解除作動して運搬台１２を後方傾動させて各種の運搬排出作業を行うことができ、又、図１の如く、すき体９を前下り状に保持して走行機体１を前進走行すると、圃場面の高い所の土はすき体９により削り取られ、削り取られた土はすき体９により運搬台１２内に導入案内され、そして走行機体１を圃場Ｍの低い所に移動し、図６の如く、係止機構２１を解除作動して運搬台１２を自重で後方傾動させ、運搬台１２内の土を圃場面の低い所に排出させ、これにより圃場の整地作業を行うことになる。
【００２０】
この際、上記運搬台１２の内底面１２ｃに上記排出物Ｗの滑落を助長する滑性部材２９を配設してなるから、排出物Ｗの落下が円滑になされ、排出の作業性を高めることができる。
【００２１】
又、この場合、上記滑性部材２９を上記運搬台１２の内側面１２ｄにも配置することにより、排出物Ｗは滑性部材２９上を滑走し、排出物Ｗの落走が円滑になされ、排出の作業性を高めることができ、又、この場合、上記滑性部材２９は表面が滑性に富む合成樹脂からなるから、排出物Ｗの落送が一層円滑になされ、排出の作業性を高めることができる。
【００２２】
第７図の第二形態例は粉粒状の肥料散布作業に用いられる圃場作業機に適用したもので、第一形態例と同一態様部分には同符号を付して説明すると、この場合上記第一形態例の運搬台１２の前部の左右方向に亙って複数個の肥料散布穴１２ｅを形成し、運搬台１２を連結機構２により前下がり状に傾斜配置し、かつ運搬台に図示省略の振動機構を配設し、運搬台１２内に排出物Ｗとしての粉粒状の肥料を搭載し、肥料散布穴１２ｅより圃場面に肥料を散布するように構成したものである。
【００２３】
又、図８の第三形態例は、整地作業や運搬作業に用いられる他の構造の圃場作業機に適用したもので、第一形態例と同一態様部分には同符号を付して説明すると、この場合運搬台１２を三角バケット状に形成し、運搬台１２の両側面を左右の水平杆３ｂに支点軸２０により枢着し、これにより運搬台１２を支点軸２０を中心として後方傾動可能に設け、かつ左右の水平杆３ｂの後部に取付杆３０を架設し、取付杆３０にすき体９を取り付け、第一形態例と同様に圃場の整地作業を行うように構成したものである。
【００２４】
これら第二、第三形態例においても、上記第一形態例と同様な作用効果を得ることができる。
【００２５】
尚、本発明は上記実施の形態例に限られるものではなく、例えば、滑性部材２９の材質や形状等は適宜変更して設計されるものである。
【００２６】
以上、所期の目的を充分達成することができる。
【図面の簡単な説明】
【００２７】
【図１】本発明の実施の第一形態例の全体側面図である。
【図２】本発明の実施の第一形態例の全体平面図である。
【図３】本発明の実施の第一形態例の全体側断面図である。
【図４】本発明の実施の第一形態例の部分側断面図である。
【図５】本発明の実施の第一形態例の部分側断面図である。
【図６】本発明の実施の第一形態例の部分側面図である。
【図７】本発明の実施の第二形態例の部分側面図である。
【図８】本発明の実施の第三形態例の部分側面図である。
【符号の説明】
【００２８】
Ｗ    排出物
１    走行機体
２    連結機構
３    取付枠
１２    運搬台
２９    滑性部材
【図１】
2007097550.tif 000003
【図２】
2007097550.tif 000004
【図３】
2007097550.tif 000005
【図４】
2007097550.tif 000006
【図５】
2007097550.tif 000007
【図６】
2007097550.tif 000008
【図７】
2007097550.tif 000009
【図８】
2007097550.tif 000010